(57)【要約】【課題】  氷雪上における滑走面に塗布する液状のワックスであって、滑走性に優れた滑走面用液状ワックス、及び当該滑走面用液状ワックスの製造方法を提供すること。【解決手段】  液状であって、氷雪上を滑走する滑走面に塗布して使用される滑走面用液状ワックスであって、有機溶剤中にパラフィンを分散混合してなり、当該有機溶剤は、揮発性を有する第１の有機溶剤と、当該第１の有機溶剤よりも揮発性の高い第２の有機溶剤を用いてなることを特徴とする滑走面用液状ワックスとする。【選択図】図１
2020007428.tif 000002
【特許請求の範囲】
【請求項１】
液状であって、氷雪上を滑走する滑走面に塗布して使用される滑走面用液状ワックスであって、
有機溶剤中にパラフィンを分散混合してなり、
当該有機溶剤は、揮発性を有する第１の有機溶剤と、当該第１の有機溶剤よりも揮発性の高い第２の有機溶剤を用いてなることを特徴とする滑走面用液状ワックス。
【請求項２】
液状であって滑走面に塗布される滑走面用液状ワックスであって、
有機溶剤中にパラフィンを分散混合してなり、
当該有機溶剤は、第１の有機溶剤としてのナフサと、第２の有機溶剤としての１-ブロモプロパンとからなることを特徴とする滑走面用液状ワックス。
【請求項３】
前記１-ブロモプロパンの配合量は、前記ナフサに対して２０容量％以上、１４０容量％以下であり、
前記パラフィンの配合量は、前記ナフサと１-ブロモプロパンとからなる有機溶剤に対して１容量％以上、３５容量％以下である、請求項２に記載の滑走面用液状ワックス。
【請求項４】
液状であって、氷雪上を滑走する滑走面に塗布して使用される滑走面用液状ワックスの製造方法であって、
パラフィンを加熱して溶解させるパラフィン溶解加熱工程と、
加熱されて溶解しているパラフィンと第１の有機溶剤であるナフサを混合撹拌する第１溶剤混合工程と、
ナフサとパラフィンの混合物と第２の有機溶剤である１-ブロモプロパンを混合撹拌する第２溶剤混合工程とからなる、滑走面用液状ワックスの製造方法。
【請求項５】
前記第１溶剤混合工程で使用するナフサ、及び第２有機溶剤混合工程で使用する１-ブロモプロパンは、いずれも１０℃以上、３０℃以下の温度で使用する。請求項４に記載の滑走面用液状ワックスの製造方法。
【発明の詳細な説明】
【技術分野】
【０００１】
本発明は滑走面用液状ワックス及びその製造方法に関し、特に液状であって氷雪上における滑走性を向上させた滑走面用液状ワックス及びその製造方法に関する。
【背景技術】
【０００２】
従来から、スキー、スノーボード及びソリなどの滑走面には、雪上や氷上における滑走性を向上させるためにワックスを塗布することが行われている。かかるワックスとしては、近年ではパラフィンワックスに種々の化合物を配合したものや、あるいはパラフィンに代わる化合物を用いたものも種々提供されているが、一般にはパラフィン系ワックスがよく知られている。
【０００３】
かかる滑走面用のワックスの形態も、アイロンなどの熱源によりスキーワックスを溶融させてスキー滑走面に塗布延伸させる固体状のものから、半固体状の生塗りタイプのもの、さらには液体状、ペーパーシート状のものまで多種多様であり、使用する側の要求に合わせ、作業性、塗布性など簡便化されてきている。
【０００４】
しかしながら、固形状のものにあっては滑走面にワックスを塗る場合には古いワックスを剥がしてから塗布するなどの熟練と労力を要し、また雪質によりワックスの種類を変える必要もあることから、滑走面に対するワクシング作業を煩雑化させ、より一層に熟練と労力を要するものとなっていた。そこで特に近年では、塗布が簡便な滑走面用液状ワックスが、一般スキーヤー等の間でも多く使用されている。
【０００５】
かかる液状の滑走面ワックスについては、特許文献１（特開平１０−６７９６９号公報）において、優れた滑走性を長期に亘り持続することができ、低温条件下での使用に耐える液体状スキーワックスが提案されている。かかる液体状スキーワックスは、（Ａ）融点が４０〜８０℃のパラフィン、（Ｂ）シクロペンタジエン類の重合物、あるいはシクロペンタジエン類とα−オレフィン類及びモノビニル芳香族炭化水素類のうちの１つもしくは２つ以上との共重合物、あるいはそれらの水素化物、あるいはそれらの混合物であるシクロペンタジエン系石油樹脂、（Ｃ）沸点が３０〜２２０℃の飽和炭化水素、及び（Ｄ）流動性向上剤から成るものとして提案されている。
【０００６】
また、特許文献２（特開２００４−９９８５２号公報）では、スキー板の滑走面に塵埃等の付着を防止してスキーの滑走性能を向上させるとともに、ワックス塗りのための作業性を大幅に改善することを課題として、光触媒である酸化チタンを主成分とし、該酸化チタンのバインダとして作用するシリコンとを含有し、その質量比が（１０〜７０）：（７０〜１０）の割合である液状のワックスを提案している。
【先行技術文献】
【特許文献】
【０００７】
【特許文献１】特開平１０−６７９６９号公報
【特許文献２】特開２００４−９９８５２号公報
【発明の概要】
【発明が解決しようとする課題】
【０００８】
前述の通り従前においても滑走面に対するワクシング作業の軽減化を目指して、液状のワックスもいくつか提案されている。しかしながら、従前において提案されている液状ワックスは、滑走面にワックスを塗布するワクシング作業の軽減を図ることができるものの、氷雪上における滑走性（即ち「滑りの良さ」。以下同じ。）において未だ改善の余地を有するものであった。
【０００９】
そこで本発明は、氷雪上における滑走面に塗布する液状のワックスであって、滑走性に優れた滑走面用液状ワックス、及び当該滑走面用液状ワックスの製造方法を提供することを課題とする。
【課題を解決するための手段】
【００１０】
前記課題を解決するため本発明等は鋭意研究を行い、パラフィンを用いたワックスにおける溶剤に着目して本発明を完成するに至ったものである。
【００１１】
即ち、本発明にかかる滑走面用液状ワックスは、液状であって、氷雪上を滑走する滑走面に塗布して使用される滑走面用液状ワックスであって、有機溶剤中にパラフィンを分散混合してなり、当該有機溶剤は、揮発性を有する第１の有機溶剤と、当該第１の有機溶剤よりも揮発性の高い第２の有機溶剤を用いて形成している。
【００１２】
また本発明では前記課題を解決するために、液状であって滑走面に塗布される滑走面用液状ワックスであって、有機溶剤中にパラフィンを分散混合してなり、当該有機溶剤は、第１の有機溶剤としてのナフサと、第２の有機溶剤としての１-ブロモプロパンとからなる滑走面用液状ワックスを提供する。
【００１３】
上記本発明の滑走面用液状ワックスにおいては、前記１-ブロモプロパンの配合量は、前記ナフサに対して２０容量％以上、１４０容量％以下であり、前記パラフィンの配合量は、前記ナフサと１-ブロモプロパンとからなる有機溶剤に対して１容量％以上、３５容量％以下とすることができる。
【００１４】
また本発明では、前記課題を解決するために、液状であって、氷雪上を滑走する滑走面に塗布して使用される滑走面用液状ワックスの製造方法であって、パラフィンを加熱して溶解させるパラフィン溶解加熱工程と、加熱されて溶解しているパラフィンと第１の有機溶剤であるナフサを混合撹拌する第１溶剤混合工程と、ナフサとパラフィンの混合物と第２の有機溶剤である１-ブロモプロパンを混合撹拌する第２溶剤混合工程とからなる、滑走面用液状ワックスの製造方法を提供する。
【００１５】
かかる本発明の滑走面用液状ワックスの製造方法では、前記第１溶剤混合工程で使用するナフサ、及び第２溶剤混合工程で使用する１-ブロモプロパンは、いずれも１０℃以上、３０℃以下の温度で使用することができる。
【００１６】
そして前記第１有機溶剤混合工程は、前記パラフィンが溶解する融点以上の温度、望ましくは１００℃以上で、引火点以下、望ましくは１５０℃以下の温度に加熱して行うことが望ましく、これに混合する第１の有機溶剤であるナフサは、１０℃以上、３０℃以下であることが望ましい。そして当該温度のナフサを撹拌混合したパラフィンとナフサの混合物には、１０℃以上、３０℃以下の１−ブロモプロパンを撹拌混合することが望ましい。
【発明の効果】
【００１７】
本発明の滑走面用液状ワックス、及びその製造方法によれば、揮発性が異なる２種類の有機溶剤を使用しており、望ましくはナフサと１-ブロモプロパンを使用している。そしてこれにパラフィンを撹拌混合していることにより、滑走性に優れた滑走面用液状ワックスを実現している。
【００１８】
そして本発明にかかる滑走面用液状ワックスは、上記した溶剤の組み合わせにより、滑走面への施工性も良く、ワクシング作業を軽減できる滑走面用液状ワックスを提供することができる。
【図面の簡単な説明】
【００１９】
【図１】本実施の形態にかかる滑走面用液状ワックスの製造方法を示す工程図。
【図２】実験例１における滑走面用液状ワックスを示す写真
【図３】実験例１における滑走面用液状ワックスを示す写真
【発明を実施するための形態】
【００２０】
以下、図面を参照しながら、本実施の形態にかかる滑走面用液状ワックスについて、その製造方法を参照しながら説明する。
【００２１】
まず本実施の形態にかかる滑走面用液状ワックスは、第１の有機溶剤と、当該第１の有機溶剤よりも沸点が低い（即ち揮発性が高い）第２の有機溶剤と、これらの有機溶剤に分散混合するパラフィンとで構成している。
【００２２】
本実施の形態において、前記第１の有機溶剤としてナフサを使用する。かかるナフサは、原油を常圧蒸留装置によって蒸留分離して得られる製品であって、沸点範囲がおおむね３０℃〜１８０℃程度のものを使用できる。即ち本実施の形態では、沸点範囲が３５℃〜８０℃程度の軽質ナフサ、及び沸点範囲が８０℃〜１８０℃程度の重質ナフサを使用することができる。また、この第１の有機溶剤は、本実施の形態にかかる滑走面用液状ワックスの成分中のパラフィンワックスを溶解、膨潤又は分散できる有機溶剤であることが好ましい。液体状ワックス又はゼリー状ワックスとする場合は、滑走面に塗布した後に混合した有機溶剤を蒸発させることで氷雪上における滑走性の向上の効果が得られる。
【００２３】
ここで、使用される第１の有機溶剤は、室温（使用環境）において揮発性の有機溶剤であることが好ましい。具体的には、好ましくは常圧における沸点が３０〜２５０℃、より好ましくは沸点が３０〜２００℃の揮発性有機溶剤であることが好ましい。具体的な好ましい有機溶剤としては、前記したナフサの他、たとえば炭素数５〜１５の直鎖パラフィン類、分岐パラフィン類及び環状パラフィン類、炭素数６〜１２の単環芳香族化合物及びアルキル芳香族化合物類、石油エーテル、又はこれらの２種以上の混合物が挙げられる。
【００２４】
また前記第２の有機溶剤は、前記第１の有機溶剤よりも揮発性が高い（沸点が低い）ものを使用する。かかる第２の有機溶剤は、前記第１の有機溶剤の選択に応じて適宜変更することができ、例えば前記第１の有機溶剤がナフサである場合には、ハロゲン化脂肪族炭化水素、特にハロゲン化アルカン、さらにハロゲン化プロパン類であることが望ましく、最も望ましくは１-ブロモプロパン（別名「ｎ−プロピルブロミド」）である。
【００２５】
また前記ワックスは、直鎖状炭化水素（ノルマルパラフィン）が主成分のパラフィンワックスの他、分岐炭化水素（イソパラフィン）や飽和環状炭化水素（シクロパラフィン）が多く含まれるマイクロクリスタリンワックスであっても良い。
【００２６】
上記本実施の形態にかかる滑走面用液状ワックスは、使用時における氷雪のコンディションや気温において最適な効果を発現する等の目的のために、必要に応じて、さらに種々の添加剤を配合することができる。添加剤としては、例えば、シリコン、フッ素系化合物などの潤滑剤、カーボンなどの静電気防止剤、ジチオリン酸亜鉛などの酸化防止剤、顔料、染料などの着色剤などが挙げられる。
【００２７】
また、本実施の形態にかかる滑走面用液状ワックスでは、ワックスの塗布作業や氷雪上の滑走性を考慮して、増粘剤や減粘剤を配合することもできる。
【００２８】
増粘剤としては、例えば、Ｎ−ラウロイル−Ｌ−グルタミン酸−α，γ−ジ−ｎ−ブチルアミド、Ｎ−ステアリル−Ｌ−グルタミン酸−α，γ−ジ−ｎ−ブチルアミド、Ｎ−パルミチル−Ｌ−アスパラギン酸−α，γ−ジ−イソプロピルアミドなどのアミノ酸系油ゲル化剤、ステアリルアルミニウム、ラウロイルアルミニウム、パルミチル亜鉛などの金属石鹸などが挙げられる。増粘剤は、１種又は２種以上を組合わせて用いることができる。
【００２９】
減粘剤としては、例えば、Ｎ−プロピル−Ｎ−（β−アクリロキシエチル）パーフルオロオクタンスルホンアミド、Ｎ−プロピル−Ｎ−（β−メタクリロキシエチル）パーフルオロオクタンスルホンアミド、Ｎ−プロピル−Ｎ−（２−ヒドロキシエチル）パーフルオロオクタンスルホンアミド、Ｎ−プロピル−Ｎ−（２，３−エポキシプロピル）パーフルオロオクタンスルホンアミド、Ｎ−〔３−（トリメトキシシリル）プロピル〕−Ｎ−プロピルパーフルオロオクタンスルホンアミド、パーフルオロオクタンラウリル酸エステル、パーフルオロオクタンステアリン酸エステル、パーフルオロデカンミリスチル酸エステル、パーフルオロヘプタンパルミチン酸ヒドロキシエチルエステルなどのフッ素系の化合物などが挙げられる。減粘剤は、１種又は２種以上を組合わせて用いることができる。
【００３０】
次に図１を参照しながら、本実施の形態にかかる滑走面用液状ワックス50の製造方法を説明する。本実施の形態では、特に雪上における滑走面、特にスキー、スノーボード、ソリなどの滑走面に塗布するのに適した滑走面用液状ワックスの製造方法を説明する。
【００３１】
かかる滑走面用液状ワックス50は、以下の成分を、以下の配合量で使用する。
第１の有機溶剤：ナフサ（使用量：１，２００ｍｌ）
第２の有機溶剤：１−ブロモプロパン（使用量：８００ｍｌ）
パラフィン：日本精蝋株式会社製のパラフィンワックス125°F及び115°F、135°F、145°F、150°F、1080°F、ルバックスFT115、パルボックス、バイセン及びその他パラフィンの混合物（使用量：５０ｍｌ）
【００３２】
先ず、図１（Ａ）に示すように、上記のパラフィン５０ｍｌを加熱容器に収容して約１２０℃に加熱する。そして図１（Ｂ）に示すように、加熱容器内で１２０℃になったパラフィン10に、第１の有機溶剤20であるナフサ（常温：１０℃〜３０℃）を１，２００ｍｌ添加して素早く撹拌する。その後、図１（３）に示すように、この混合液に第２の有機溶剤30である１−ブロモプロパン（常温：１０℃〜３０℃）を８００ｍｌ添加して素早く撹拌する。これにより図１（Ｄ）に示すように本実施の形態にかかる滑走面用液状ワックス50が完成し、これを適宜密閉容器に収容して提供することができる。
【００３３】
なお、当該滑走面用液状ワックスは、布帛などの吸収性を有するシートに含侵させて、これを密閉状態に包装して提供することもできる。
【実験例１】
【００３４】
この実験例１では、ナフサ、１−ブロモプロパン、パラフィンワックスの使用量を変えた複数の滑走面用液状ワックスを作成し、その滑走性、揮発性および粘度を比較した。
【００３５】
即ちこの実験例１では、表１に示すように、各成分の配合量を変えた滑走面用液状ワックスを作成した。各滑走面用液状ワックスの製造手順は、前記実施の形態に示したとおりである。
【００３６】
実験番号１−３（ナフサ標準量（1,200ml）、１−ブロモプロパン標準量（1,200ml）、パラフィン標準量（50ml））を基準として、
実験番号１−１では、ナフサの配合量を多くして1,600mlとし、１−ブロモプロパンの配合量を少なくして400mlとした。
実験番号１−２では、パラフィンの配合量を多くして75mlとした。
実験番号１−４では、パラフィンの配合量を少なくして30mlとした。
実験番号１−５では、ナフサの配合量を少なくして800mlとし、１−ブロモプロパンの配合量を多くして1,200mlとした。
【００３７】
そして以上の実験において作成した各滑走面用液状ワックスについて、滑走性、揮発性、粘度を評価した。特にこれらの評価はスキー（サロモンGS（ジャイアントスラローム）用185ｃｍ、滑走面素材：高密度ポリエチレン）を使用して行っており、特に滑走性については、以下の状況下で実際に滑走して評価を行った。
雪質：水分の多いザラメ雪
雪温：−1℃
天候：晴れ
【００３８】
その結果を以下の表１に示す。また濁度について、実験番号１−１から１−５で製造した滑走面用液状ワックスを図２に示す。なお、以下の実験例における濁度の評価基準は、「1：透明」、「2：若干濁りあり」、「3：透過できる程度の白濁」、「4：透過できない程の白濁」の４段階で評価した。
【００３９】
【表１】
2020007428.tif 000003
【００４０】
実験番号１−１で製造した滑走面用液状ワックスは、滑走性は全６件中４番であった。また１−ブロモプロパンの配合割合が低いことから揮発性も低かった。更に基準となる実験番号１−３よりも濁度が高かった。
【００４１】
実験番号１−２で製造した滑走面用液状ワックスは、滑走性は全６件中最下位であった。またパラフィンの配合割合が高いため塗布時に粘りがあり、伸びが悪く滑走面に塗布しにくかった。また滑走面の定着性も低かった。更に基準となる実験番号１−３よりも濁度は若干薄かった。
【００４２】
実験番号１−３で製造した滑走面用液状ワックスは、滑走性及び持続性は最も良く、滑走面の塗布もしやすかった。
【００４３】
実験番号１−４で製造した滑走面用液状ワックスは、滑走性は実験番号１−３の滑走面用液状ワックスに次いで２番目に良かった。またパラフィンの配合割合が低いため滑走面に塗りやすくワクシング作業が容易であった。更に基準となる実験番号１−３よりも濁度が高かった。
【００４４】
実験番号１−５で製造した滑走面用液状ワックスは、滑走性は全６件中５番であった。１−ブロモプロパンの配合量が多いため揮発性が高かった。また全６件中最も濁度が低く透明度が高かった。
【００４５】
実験番号１−６で製造した滑走面用液状ワックスは、滑走性は全６件中３番であった。１−ブロモプロパンを配合していないことから揮発性が低かった。また全６件中最も濁度が低く透明であった。
【００４６】
〔考察〕
以上の結果、ナフサ、１−ブロモプロパン、パラフィンワックスを使用する際に、その配合量を調整することにより、より滑走性や滑走面への塗りやすさを高める事ができることを確認した。
特に実験番号１−３の様に、１-ブロモプロパンの配合量を、ナフサに対して２０容量％以上、１４０容量％以下とし、更にパラフィンの配合量を、ナフサと１-ブロモプロパンとからなる有機溶剤に対して１容量％以上、３５容量％以下ロすることにより、滑走性及び持続性は最も良く、滑走面への塗布もしやすくでき、非常に優れた性能を発揮することを確認した。
更に各成分の配合割合次第では、１−ブロモプロパンを配合しない滑走面用液状ワックスよりも滑走性などが劣ることを確認した。
【実験例２】
【００４７】
この実験例では、第２の有機溶剤に変えて他の有機溶剤を使用して滑走面用液状ワックスを作成し、その濁度、粘度及び滑走性を検証した。
【００４８】
即ちこの実験例では、１２０℃に加熱したパラフィンに1,200mlのナフサ（常温）を撹拌混合し、これに以下の有機溶媒（常温）を800ml撹拌混合して各滑走面用液状ワックスを作成した。
実験番号２−１：エタノール
実験番号２−２：テトラクロロエチレン
実験番号２−３：クロロホルム
実験番号２−４：n−ヘキシルアルコール
実験番号２−５：ベンゼン
実験番号２−６：２−ブロモプロパン
実験番号２−７：１−１−２トリクロロエタン
実験番号２−８：イソプレン
実験番号２−９：トルエン
実験番号２−10：１．１−ジクロロエチレン
実験番号２−11：１２−ジクロロプロパン
【００４９】
上記の実験で製造した滑走面用液状ワックスについて、以下の観点でその濁度、粘度及び滑走性を評価した。なお、対比のために前記実験例１−３で作成した滑走面用液状ワックスについても評価を行った。
「濁度評価」について、1：透明、2：若干濁りあり、3：白い白濁がある
「粘度評価」について、1：粘度無、2：粘度小、3：粘度普通、4：粘度やや高、5：粘度高
「滑走性評価」について、1：滑走性無、2：滑走性若干有、3：滑走性普通、4：滑走性良、5：滑走性非常に良い
「滑走持続性評価」について、１：持続性が悪い、２：普通、３持続性が良い
【００５０】
なお、上記「濁度評価」に関し、各実験で製造した滑走面用液状ワックスの写真を図３に示す。また、上記「滑走性評価」の実験方法は前記実験例１と同じである。その結果を以下の表２に示す。
【００５１】
【表２】
2020007428.tif 000004
【００５２】
〔考察〕
この実験例２において、前記実験例１−３で作成した滑走面用液状ワックスを基準とし、各実験で作成した滑走面用液状ワックスを評価した結果、滑走材としての機能を確保するためには、ある程度の濁度と粘度が必要であり、これらが持続性に大きく関与していることを確認できた。
そして各実験例の濁度と粘度は上記表２に示す結果であったが、滑走性および滑走性持続性は、実験番号１−３で作成した滑走面用液状ワックスが、他の実験例にかかる滑走面用液状ワックスを圧倒的に上回っていることが判明した。
よってこの実験結果から、パラフィンを用いたワックスにおいては、第１有機溶剤としてナフサを使用し、第２の有機溶剤として１−ブロモプロパンを使用するのが望ましいことを確認できた。
【産業上の利用可能性】
【００５３】
本発明の滑走面用液状ワックス及びその製造方法は、氷雪上を滑走するもの、例えばスキー、スノーボード、ソリ、スノースクート、カーリングのストーン等の滑走面に塗布する滑走剤として利用することができる。
【符号の説明】
【００５４】
10：パラフィン、20：第１の有機溶剤（ナフサ）、30：第２の有機溶剤（１−ブロモプロパン）、50：滑走面用液状ワックス
【図１】
2020007428.tif 000005
【図２】
2020007428.tif 000006
【図３】
2020007428.tif 000007
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
液状であって、氷雪上を滑走する滑走面に塗布して使用される滑走面用液状ワックスであって、
有機溶剤中にパラフィンを分散混合してなり、
当該有機溶剤は、揮発性を有する第１の有機溶剤と、当該第１の有機溶剤よりも揮発性の高い第２の有機溶剤を用いてなり、
当該第２の有機溶剤は１-ブロモプロパンであることを特徴とする滑走面用液状ワックス。
【請求項２】
液状であって、氷雪上を滑走する滑走面に塗布される滑走面用液状ワックスであって、
有機溶剤中にパラフィンを分散混合してなり、
当該有機溶剤は、第１の有機溶剤としてのナフサと、第２の有機溶剤としての１-ブロモプロパンとからなることを特徴とする滑走面用液状ワックス。
【請求項３】
前記１-ブロモプロパンの配合量は、前記ナフサに対して２０容量％以上、１４０容量％以下であり、
前記パラフィンの配合量は、前記ナフサと１-ブロモプロパンとからなる有機溶剤に対して１容量％以上、３５容量％以下である、請求項２に記載の滑走面用液状ワックス。
【請求項４】
液状であって、氷雪上を滑走する滑走面に塗布して使用される滑走面用液状ワックスの製造方法であって、
パラフィンを加熱して溶解させるパラフィン溶解加熱工程と、
加熱されて溶解しているパラフィンと第１の有機溶剤であるナフサを混合撹拌する第１溶剤混合工程と、
ナフサとパラフィンの混合物と第２の有機溶剤である１-ブロモプロパンを混合撹拌する第２溶剤混合工程とからなる、滑走面用液状ワックスの製造方法。
【請求項５】
前記第１溶剤混合工程で使用するナフサ、及び第２有機溶剤混合工程で使用する１-ブロモプロパンは、いずれも１０℃以上、３０℃以下の温度で使用する。請求項４に記載の滑走面用液状ワックスの製造方法。